(57)【要約】      （修正有）【課題】ひもを用いて荷物を結束するための器具を提供する。【解決手段】柱形状体の荷締部２と荷締部に垂直に接続された柱形状体の柄６からなり、または柱形状体の荷締部と、荷締部に垂直に接続された柱形状体の柄と、荷締部の上方に設けられた略Ｖ字形状または略Ｌ字形状のガイド３と、ガイドを荷締部または柄と接続するガイド接続部材４と、荷締部またはガイドまたはガイド接続部材または柄に接続する略Ｌ字形状の引っかけ部５からなることを特徴とする荷締機１とする。【選択図】図３
2020026301.tif 000002
【特許請求の範囲】
【請求項１】
柱形状体の荷締部と、荷締部に垂直に接続された柱形状体の柄からなることを特徴とするひも用の荷締機。
【請求項２】
荷締部の上方に設けられた略Ｖ字形状または略Ｌ字形状のガイドと、ガイドを荷締部または柄に接続するガイド接続部材を追加したことを特徴とする請求項１記載のひも用の荷締機。
【請求項３】
略Ｌ字形状の引っかけ部を、荷締部またはガイドまたはガイド接続部材または柄のいずれかに接続したことを特徴とする請求項１または２記載のひも用荷締機。
【発明の詳細な説明】
【技術分野】
【０００１】
本発明は、新聞紙の束等の荷物を結束するためのひも用の荷締機に関するものである。
【背景技術】
【０００２】
従来、新聞紙の束等を結束するためにル−プを形成したひもと荷締機（例えば、特許文献１を参照）を用いる方法がある。
【先行技術文献】
【特許文献】
【０００３】
【特許文献１】特開２０１２−３０８９０号公報
【発明の概要】
【発明が解決しようとする課題】
【０００４】
新聞紙の束等の荷物を小さな力で結束する方法として、ループを形成したひもに棒などの荷締機を通してその荷締機を回転させてひもをねじり、結節を形成することにより結束する方法（例えば、特許文献１を参照）があるが、荷物ごとに荷物に適した長さを有するところのループを形成したひもが必要であることから準備が煩雑になる。また結節がほどけないようにするため、別のひもで結節を縛る必要があることから、多くの時間が必要となる。
【課題を解決するための手段】
【０００５】
上述した課題を解決するために、本発明に係るひも用の荷締機は以下の手段を有する。
【０００６】
第一の手段は、柱形状体の荷締部と、荷締部に垂直に接続された柱形状体の柄からなることを特徴とする。これにより、ひもを強い力で引っ張ることなく、荷物を強力にしかも緩むことなく簡単に結束することができる。
【０００７】
第二の手段は、荷締部の上方に設けられた略Ｖ字形状または略Ｌ字形状のガイドと、ガイドを荷締部または柄に接続するガイド接続部材を追加したことを特徴とする。これにより、ひもの結び目を頂点としてひもをねじり結節を形成させることができる。
【０００８】
第三の手段は、略Ｌ字形状の引っかけ部を、荷締部またはガイドまたはガイド接続部材または柄のいずれかに接続したことを特徴とする。これにより、ガイドを経由したひもの端部を保持することができる。
【発明の効果】
【０００９】
前記第一の解決手段によれば、ひもの結び目の下におかれた荷締部を回転させることにより形成されるところの結節の直径よりも十分に離れた位置で荷締部に接続された柄に弱い力を加えて結び目の位置を中心に荷締部を回転させると、回転の中心では大きな力となってひもをねじり結節を形成することができる。
【００１０】
前記第二の解決手段によれば、荷物をゆるく結束したひもの結び目に続くひもの端部を結び目の上方に定位させることができる。これにより、結び目の下にくぐらせた荷締部を回転させることにより結び目を頂点とする結節を形成させることができる。
【００１１】
前記第三の解決手段によれば、荷締部を回転させひもをねじる間引っかけ部はひもの端部を保持するため、荷締部を回転させている間ひもの端部は荷締部やひもの端部そのものにからみつくことがない。これによりひもの端部はひもの結節と同じ数だけ回転させることができる。
【００１２】
本発明によれば、荷物の大きさに応じて切り取ったひもで荷物をゆるく結束し、先端部をひもの結び目の下にくぐらせ、両方のひもの端部を手で保持するか両方のひもの端部をガイドを経由して引っかけ部に引っかけた後、旋回中心部を中心に柄を旋回させることにより荷締部を回転させ、ひもを強力にねじることができる。切り取ったひもにループを形成し棒を通す必要はない。
【００１３】
続いて、先端部をひもの下にくぐらせ、ひもの端部の片方を先端部に引っかけた後、先端部をもとの位置まで戻すことにより、ひもの端部の片方をひもの下にくぐらせることができる。くぐらせたひもの端部ともう片方の残ったひもの端部を結ぶことにより、形成された結節は緩むことがない。このことから別のひもで結節を縛る必要はない。このように、ひもを強い力で引っ張ることなく、荷物を強力にしかも緩むことなく簡単に結束することができる。このことにより、簡単にそして時間をかけないで荷物を強く結束することができる。これらのことから、前記課題を解決できる。
【００１４】
さらに、この荷締機を用いる場合ひものみを消耗し他の結束部材を必要としないことから、荷物の結束に必要とする費用を削減することができる。また、荷物を結束してひもの端部を結ぶときに蝶々結びで結び、さらにくぐらせたひもの端部と残ったひもの端部を蝶々結びで結んでおけば、ひもの先端を引っ張ることにより締め上げられた結束は簡単にほどくことができる。このことから、ひもを再利用することができる。
【図面の簡単な説明】
【００１５】
【図１】図１は、本発明実施例１の荷締機の構造を説明する側面図である。
【図２】図２は、本発明実施例１の使用方法を説明する図である。          （ａ）本発明実施例１の荷締部の先端部をＰＥ平テープの結び目の下にくぐらせ、ＰＥ平テープの端部を手で持ち上げた図。          （ｂ）本発明実施例１の荷締部の旋回中心部を中心に柄を旋回させた後の図。          （ｃ）本発明実施例１の先端部をＰＥ平テープの下にくぐらせ、先端部にＰＥ平テープ端部を引っかけたときの図。          （ｄ）本発明実施例１の先端部をＰＥ平テープの下に再びくぐらせたときの図。
【図３】図３は、本発明実施例２の荷締機の構造を説明する側面図である。
【図４】図４は、本発明実施例２の荷締機の構造を説明する上面図である。
【図５】図５は、本発明実施例２の使用方法を説明する図である。          （ａ）本発明実施例２の荷締部の先端部をＰＥ平テープの結び目の下にくぐらせ、ＰＥ平テープの端部をガイドを経由して引っかけ部に引っかけた図。          （ｂ）本発明実施例２の荷締部の旋回中心部を中心に柄を旋回させた後の図。          （ｃ）本発明実施例２の先端部をＰＥ平テープの下にくぐらせ、先端部にＰＥ平テープ端部を引っかけたときの図。          （ｄ）本発明実施例２の先端部をＰＥ平テープの下に再びくぐらせたときの図。
【図６】図６は、本発明実施例３の荷締機の構造を説明する側面図である。
【図７】図７は、本発明実施例３の荷締機の構造を説明する上面図である。
【図８】図８は、本発明実施例４に係る荷締部２の変形側面図である。
【発明を実施するための形態】
【００１６】
以下、本発明の代表的な実施例１〜４を図１〜８を参照しながら説明する。なお、この実施の形態によって特許請求の範囲が限定されるものではない。
【実施例１】
【００１７】
実施例１は、前記解決手段の第一を実施した場合の例であり、荷物として新聞紙の束を、ひもとしてＰＥ平テープを実施した場合である。
【００１８】
先ず構造を説明する。図１は、本発明の実施例の新聞紙の束に係る荷締機の側面図である。本発明の実施例の荷締機１は、旋回中心部２ａと先端部２ｂからなる荷締部２、およびそれに垂直に接続する柄６から構成されている。
【００１９】
荷締部２の材質は剛性と表面のなめらかさが必要であることから、ステンレススチールが好ましく、直径は３から６ｍｍが考えられるが、うち好ましくは４ｍｍである。長さは５０ｍｍから２００ｍｍが考えられるが好ましくは１００ｍｍである。旋回中心部２ａから先端部２ｂにかけて荷締部２の周囲は１ｍｍ程度小さくなっている。
【００２０】
柄６の材質は剛性と表面のなめらかさが必要であることから、ステンレススチールが好ましく、直径は３ｍｍから１０ｍｍが考えられるが、うち好ましくは４ｍｍである。長さは５０ｍｍから１７０ｍｍが考えられるが好ましくは１２０ｍｍである。
【００２１】
次ぎに使用方法を説明する。図２（ａ）に示すように、新聞紙の束７をＰＥ平テープ８を用いてゆるく結束する。その後、ＰＥ平テープ８の下に荷締部２の先端部２ｂをくぐらせ、旋回中心部２ａをＰＥ平テープ結び目９の下まで移動させる。次に、ＰＥ平テープ端部８ａおよびＰＥ平テープ８ｂを手でつまみ上方に引っ張り保持する。
【００２２】
次に旋回中心部２ａを中心に柄６を旋回させて荷締部２を回転させると、図２（ｂ）に示すようにＰＥ平テープ８の結び目９を頂点としてＰＥ平テープ８がねじられて結節１０が形成され、新聞紙の束７は強く結束される。
【００２３】
次に、図２（ｃ）に示すように、先端部２ｂをＰＥ平テープ８の下にくぐらせた後、ＰＥ平テープ端部８ａを先端部２ｂに引っかける。
【００２４】
その後、図２（ｄ）に示すように、先端部２ｂを再びＰＥ平テープ８の下にくぐらせ元の位置に戻す。そして、先端部２ｂと共にＰＥ平テープ８をくぐり抜けたＰＥ平テープ端部８ａをＰＥ平テープ端部８ｂと結ぶ。これにより、結節１０はほどけることがない。その後、荷締部２を結節１０から引き抜く。
【００２５】
実施例１によれば、新聞紙の束７をゆるく結束したＰＥ平テープ８のＰＥ平テープ結び目９の下に荷締部２の旋回中心部２ａを置き、ＰＥ平テープ端部８ａおよびＰＥ平テープ端部８ｂを手で持ち上げて保持することによりＰＥ平テープ結び目９を頂点としてＰＥ平テープ８をねじることができる。その結果、結節１０の頂点にＰＥ平テープ結び目９がくることになる。結節１０の直径よりも十分に長い荷締部２の端に弱い力を加えると、回転の中心では大きな力となってＰＥ平テープ８をねじることができる。荷締部２の端に荷締部２の方向に対し垂直に取り付けられた柄６は、荷締部２の旋回中心部２ａを中心として簡単に荷締部２を回転させることができる。ＰＥ平テープ端部８ａをＰＥ平テープ８の下にくぐらせもう一つのＰＥ平テープ端部８ｂと結ぶことにより結節１０はほどけることがない。ＰＥ平テープ結び目９が結節１０の頂点になければ、ＰＥ平テープ端部８ａとＰＥ平テープ端部８ｂを結んだとしても結節１０はほどけてしまい、新聞紙の結束はゆるんでしまう。またＰＥ平テープ端部８ａおよびＰＥ平テープ端部８ｂを手で保持しなければ、ＰＥ平テープ端部８ａおよびＰＥ平テープ８ｂは結節１０にからみつき、ＰＥ平テープ端部８ａとＰＥ平テープ端部８ｂを結んだとしても巻きついた回数だけ結節１０がほどけてしまい新聞紙の結束はゆるんでしまう。ねじられて形成された結節１０は強い圧力で荷締部２と接触している。しかしながら、荷締部２の表面はなめらかであり、荷締部２は旋回中心部２ａから先端部２ｂに行くに従い細くなっていることから、簡単に荷締部２を結節１０から引き抜くことができる。このようにＰＥ平テープ８を強い力で引っ張ることなく、新聞紙の束７を強力にしかも緩むことなく簡単に結束することができる。
【００２６】
本実施例１によれば、ひもを強い力で引っ張ることなく荷物を強力にしかも緩むことなく簡単に結束できる。予め荷物の大きさに応じてひもを切断し、そしてループを形成する必要はない。また結節がゆるまないために、予め準備したひもで結節を縛るということも必要としない。これらのことから、簡単にそして短時間に荷物を結束することができる。
【００２７】
さらに、荷物を結束するためにひもを消耗するのみで、それ以外の結束部材を必要としないことから、低コストで荷物を結束することができる。荷物の結束をほどく必要がある場合は、ひもの結び目を蝶々結びでむすび、結節を形成した後ひもの端を蝶々結びでむすぶ。ほどく場合は、ひもの端の先端を引っ張ることで蝶々結びをほどくことができる。このため荷物の束をほどくための器具を必要としない。
【実施例２】
【００２８】
実施例２は、前記解決手段の第一から第三を実施した場合の例であり、ガイドとして略Ｖ字形状のガイドを、荷物として新聞紙の束を、ひもとしてＰＥ平テープを実施した場合である。
【００２９】
先ず構造を説明する。図３は、本発明の実施例の新聞紙の束に係る荷締機１の側面図である。本発明の実施例の荷締機１は、旋回中心部２ａと先端部２ｂからなる荷締部２、それに垂直に接続する柄６、旋回中心部２ａの上方に取り付けられたガイド３、ガイド３を荷締部２にとりつけるガイド接続部材４、および柄６に取り付けられた引っかけ部５から構成されている。
【００３０】
荷締部２の材質は剛性と表面のなめらかさが必要であることから、ステンレススチールが好ましく、直径は２から５ｍｍが考えられるが、うち好ましくは３ｍｍである。長さは５０ｍｍから２００ｍｍが考えられるが好ましくは１００ｍｍである。旋回中心部２ａから先端部２ｂにかけて荷締部２の周囲は１ｍｍ程度小さくなっている。
【００３１】
柄６の材質は剛性と表面のなめらかさが必要であることから、ステンレススチールが好ましく、直径は２ｍｍから１０ｍｍが考えられるが、うち好ましくは３ｍｍである。長さは５０ｍｍから１７０ｍｍが考えられるが好ましくは１２０ｍｍである。
【００３２】
ガイド３は荷締部２のほぼ中央の旋回中心部２ａの上方に取り付けられている。ガイド３の材質は剛性と表面のなめらかさが必要であることから、ステンレススチールが好ましく、素材の直径は１ｍｍから３ｍｍが考えられるが、うち好ましくは２ｍｍである。図４の上面図に示すように略Ｖ字形状であり、ガイド凹部３ａが柄６に対向している。荷締部２方向の長さは１０ｍｍから３０ｍｍが考えられるが、うち好ましくは２０ｍｍであり、幅は１０ｍｍから３０ｍｍが考えられるが、うち好ましくは１５ｍｍである。
【００３３】
ガイド接続部材４の材質は剛性と表面のなめらかさが必要であることから、ステンレススチールが好ましく、素材の直径は１ｍｍから３ｍｍが考えられるが、うち好ましくは２ｍｍである。図３に示すように略Ｌ字形状であり、荷締部２方向の長さは１０ｍｍから３０ｍｍが考えられるがうち好ましくは１５ｍｍであり、柄６方向の長さは５ｍｍから３０ｍｍが考えられるがうち好ましくは１０ｍｍである。
【００３４】
引っかけ部５の材質は剛性と表面のなめらかさが必要であることから、ステンレススチールが好ましく、直径は１ｍｍから３ｍｍが考えられるが、うち好ましくは２ｍｍである。引っかけ部の形状は略Ｌ字型で、荷締部２方向の長さは略５ｍｍ、柄６方向の長さは略４０ｍｍであり、柄６方向の途中で柄６に接触するように湾曲している。
【００３５】
次ぎに使用方法を説明する。図５（ａ）に示すように、新聞紙の束７をＰＥ平テープ８を用いてゆるく結束する。その後、ＰＥ平テープ８の下に荷締部２の先端部２ｂをくぐらせ、旋回中心部２ａをＰＥ平テープ結び目９の下まで移動させる。次に、ＰＥ平テープ端部８ａおよびＰＥ平テープ８ｂをガイド３を経由した後引っかけ部５に引っかける。
【００３６】
次に旋回中心部２ａを中心に柄６を旋回させて荷締部２を回転させると、図５（ｂ）に示すようにＰＥ平テープ結び目９を頂点としてＰＥ平テープ８がねじられて結節１０が形成され、新聞紙の束７は強く結束される。このように、ガイド３はＰＥ平テープ結び目９を頂点として結節１０を形成させることができる。
【００３７】
次に、図５（ｃ）に示すように、先端部２ｂをＰＥ平テープ８の下にくぐらせた後、ＰＥ平テープ端部８ａおよびＰＥ平テープ８ｂを引っかけ部５からはずし、ＰＥ平テープ端部８ａを先端部２ｂに引っかける。このように、引っかけ部５は荷締部２を回転してＰＥ平テープ８を締めつけている間ＰＥ平テープ端部８ａとＰＥ平テープ端部８ｂを保持するが、回転終了後ＰＥ平テープ端部８ａとＰＥ平テープ端部８ｂを簡単にはずすことができる。
【００３８】
その後、図５（ｄ）に示すように、先端部２ｂを再びＰＥ平テープ８の下にくぐらせ元の位置に戻す。そして、先端部２ｂと共にＰＥ平テープ８をくぐり抜けたＰＥ平テープ端部８ａとＰＥ平テープ端部８ｂを結ぶ。これにより、結節１０はほどけることがない。その後、荷締部２を結節１０から引き抜く。
【００３９】
実施例２によれば、新聞紙の束７をゆるく結束したＰＥ平テープ８のＰＥ平テープ結び目９の下に荷締部２の旋回中心部２ａを置き、ＰＥ平テープ端部８ａおよびＰＥ平テープ端部８ｂをガイド３を経由して引っかけ部５に引っかけた後、荷締部２を回転させてＰＥ平テープ８をねじり結節１０を形成させる。ＰＥ平テープ端部８ａおよびＰＥ平テープ８ｂをガイド３にはめ込むことにより、ＰＥ平テープの結び目９を頂点としてＰＥ平テープ８をねじるため、結節１０の頂点にＰＥ平テープ結び目９がくることになる。荷締部２を回転させＰＥ平テープ８をねじる間引っかけ部５はＰＥ平テープ端部８ａおよびＰＥ平テープ端部８ｂを保持するため、ＰＥ平テープ端部８ａおよびＰＥ平テープ端部８ｂはＰＥ平テープ８対して形成された結節１０と同じ数だけねじられることになる。ＰＥ平テープ端部８ａをＰＥ平テープ８の下をくぐらせもう一つのＰＥ平テープ端部８ｂと結ぶことにより結節１０はほどけることがない。このように新聞紙の束７を強い力で引っ張ることなく、新聞紙の束７を強力にしかも緩むことなく簡単に結束することができる。
【００４０】
本実施例２によれば、ＰＥ平テープ端部８ａおよびＰＥ平テープ８ｂを手で保持することなくＰＥ平テープ結び目９を結節１０の頂点に定位できまたＰＥ平テープ端部８ａおよびＰＥ平テープ８ｂが結節１０にからみつかないことから、実施例１よりも簡単に荷物を結束することができる。
【００４１】
本実施例２においては、ガイド３は略Ｖ字形状であるが、必ずしも略Ｖ字形状である必要はなく略Ｕ字形状でもよく、ＰＥ平テープ端部８ａおよびＰＥ平テープ端部８ｂがガイド３にかかりやすければよく、また柄６を旋回しているときにＰＥ平テープ端部８ａおよびＰＥ平テープ端部８ｂがガイド３から外れなければ、どのような形状でもよい。ガイド凹部３ａが柄６に対向しているが、必ずしも対向する必要はなく、またガイド３の略Ｖ字形状は上面を向いているが、必ずしも上面を向く必要はなく、柄６を旋回しているときにＰＥ平テープ端部８ａおよびＰＥ平テープ８ｂがガイド３から外れなければどのような向きでもよい。
【００４２】
本実施例２においては、ガイド接続部材４は荷締部２に接続しているが、柄６に接続してもよい。引っかけ部５は必ずしも略Ｌ字形状である必要はなく、容易にＰＥ平テープ端部８ａおよびＰＥ平テープ８ｂを挿入でき、柄６を旋回している間に引っかけ部５から外れず、そして柄６を旋回させた後容易にＰＥ平テープ端部８ａおよびＰＥ平テープ８ｂをはずすことができれば、どのような形状でも差し支えない。また取り付ける場所は柄６に限らず、ガイド３またはガイド接続部材４または荷締部２に接続してもよい。
【実施例３】
【００４３】
実施例３は、前記解決手段の第一から第三を実施した場合の、実施例２と異なる場合の例であり、ガイドとして略Ｌ字形状のガイドを、荷物として新聞紙の束を、ひもとしてＰＥ平テープを実施した場合である。
【００４４】
先ず構造を説明する。図６は、本発明の実施例の新聞紙の束に係る荷締機１の側面図である。本発明の実施例の荷締機１は、旋回中心部２ａと先端部２ｂからなる荷締部２、それに垂直に接続する柄６、旋回中心部２ａの上方に取り付けられた略Ｌ字形状のガイド３、ガイド３を荷締部２にとりつけるガイド接続部材４、および柄６に取り付けられた引っかけ部５から構成されている。
【００４５】
ガイド３は荷締部２のほぼ中央の旋回中心部２ａの上方に取り付けられている。ガイド３の材質は剛性と表面のなめらかさが必要であることから、ステンレススチールが好ましく、素材の直径は１ｍｍから３ｍｍが考えられるが、うち好ましくは２ｍｍである。ガイド３の形状は略Ｌ字形状であり、Ｌ字の１画は荷締部２と平行であり、他の１画は柄６と平行であり、Ｌ字の角は荷締部２および柄６に面している。荷締部２方向の長さは１０ｍｍから３０ｍｍが考えられるが、うち好ましくは２０ｍｍであり、柄６方向の長さは１０ｍｍから３０ｍｍが考えられるが、うち好ましくは２０ｍｍである。
【００４６】
ガイド接続部材４の材質は剛性と表面のなめらかさが必要であることから、ステンレススチールが好ましく、素材の直径は１ｍｍから３ｍｍが考えられるが、うち好ましくは２ｍｍである。図６に示すように略Ｌ字形状であり、荷締部２方向の長さは１０ｍｍから３０ｍｍが考えられるがうち好ましくは２０ｍｍであり、柄６方向の長さは２０ｍｍから４０ｍｍが考えられるがうち好ましくは３０ｍｍである。
【００４７】
荷締部２、および柄６、および引っかけ部５の構造は、実施例２と同じである。
【００４８】
使用方法、および使用効果は実施例２と同じである。
【００４９】
実施例３によれば、図７に示すように略Ｌ字形状のガイド３は、荷締部２、および柄６、およびガイド接続部材４、および引っかけ部５と同一平面上に位置することから、荷締機１を保管する場合かさばることはない。
【００５０】
本実施例３においては、接続部材４は略Ｌ字形状で荷締部２に接続しているが、略Ｉ字形状で柄６に接続してもよい。
【００５１】
引っかけ部５は必ずしも略Ｌ字形状である必要はなく、実施例２と同じくどのような形状でも差し支えない。引っかけ部５は実施例２と同じく柄６に接続しているが、ガイド３またはガイド接続部材４または荷締部２に接続してもよい。
【実施例４】
【００５２】
実施例４は、前記解決手段の第一から第三を実施した場合のさらに別の例であり、図８は実施例４に係る荷締部２の変形例の側面図である。実施例２では荷締部２は先端部２ｂまで直状になっているが、実施例４では先端部２ｂに近いところで柄６の方向に反っている。使い勝手から考えると略１０度である。
【００５３】
実施例４によれば、実施例２の有する効果に加え、先端部２ｂをＰＥ平テープ８の下にくぐらせるとき、くぐらせやすくなる。
【００５４】
上記実施例１〜４は、ひもとしてＰＥ平テープを例に説明したが、紙ひもやロープ等、結束に用いるひもに応用することができる。また荷物として新聞紙の束を例に説明したが、ひもでくくることができる荷物であればどのような荷物に対しも応用することができる。
【符号の説明】
【００５５】
１        荷締機
２        荷締部
２ａ      旋回中心部
２ｂ      先端部
３        ガイド
３ａ      ガイド凹部
４        ガイド接続部材
５        ひっかけ部
６        柄
７        新聞紙の束
８        ＰＥ平テープ
８ａ      ＰＥ平テープ端部
８ｂ      ＰＥ平テープ端部
９        ＰＥ平テープ結び目
１０      結節
【図１】
2020026301.tif 000003
【図２】
2020026301.tif 000004
【図３】
2020026301.tif 000005
【図４】
2020026301.tif 000006
【図５】
2020026301.tif 000007
【図６】
2020026301.tif 000008
【図７】
2020026301.tif 000009
【図８】
2020026301.tif 000010